(57)【要約】【課題】ユーザが発呼する際に、デジタル電話回線が使用される可能性があるか否かを通話音で区別可能にする。【解決手段】ｘＤＳＬ対応ＩＰ電話機１は、ＰＳＴＮ網１０の加入者線８を介してＰＳＴＮ電話とＶｏＩＰ電話とを選択して発呼することができる。発呼の際には、ＶｏＩＰ電話が可能な否かを判定し、可能ならオフフック後に可聴音発生部５で発生する可聴音を受話器から出力させる。ＶｏＩＰ電話が可能でないときは、ＰＳＴＮ回線を捕捉し、回線信号発生部１４から送出されるダイヤルトーンを受話器から出力させる。可聴音をダイヤルトーンとは異なる音にしておけば、通話音で容易に区別することができる。【選択図】      図１
2004187081.tif 000002
【特許請求の範囲】
【請求項１】
アナログ電話回線およびデジタル電話回線とに接続され、いずれかを選択して発呼可能な電話装置において、
オフフック時に、デジタル電話回線が使用可能か否かを判定する判定手段と、
判定手段がデジタル電話回線を使用可能でないと判定するときに、アナログ電話回線を捕捉し、アナログ電話回線から送られてくる回線信号を受話器から出力するように制御する制御手段と、
アナログ電話回線から送られてくる該回線信号とは異なる可聴音信号を生成する生成手段とを含み、
制御手段は、判定手段がデジタル電話回線を使用可能であると判定するときに、生成手段によって生成される可聴音を受話器から出力するように制御することを特徴とする電話装置。
【請求項２】
前記生成手段は、複数種類の可聴音を生成可能であり、
生成手段から発生する可聴音の種類を選択する選択手段をさらに含むことを特徴とする請求項１記載の電話装置。
【請求項３】
前記可聴音は、前記複数種類の可聴音のうちの少なくとも一部の可聴音を生成するためのデータを記憶可能なメモリを備えることを特徴とする請求項１または２記載の電話装置。
【請求項４】
前記メモリに記憶するデータを、音響信号から収録するための録音手段をさらに含むことを特徴とする請求項３記載の電話装置。
【請求項５】
前記メモリに記憶するデータを、前記アナログ電話回線または前記デジタル電話回線を介して取得する取得手段をさらに含むことを特徴とする請求項３記載の電話装置。
【請求項６】
子機を接続可能な接続手段と、
接続手段を介して接続される子機とを含み、
前記判定手段は、子機からの発呼操作開始時に、前記デジタル電話回線が使用可能か否かを判定し、
前記制御手段は、子機からの発呼操作開始時に、
判定手段がデジタル電話回線を使用可能でないと判定するときに、アナログ電話回線を捕捉し、アナログ電話回線から送られてくる回線信号を子機から出力、判定手段がデジタル電話回線を使用可能であると判定するときに、前記生成手段によって生成される可聴音を子機から出力するように制御することを特徴とする請求項１記載の電話装置。
【請求項７】
前記制御手段は、前記判定手段によって前記デジタル電話回線が使用可能であると判定されるとき、発呼操作で入力される発信先電話番号に基づいて、デジタル電話回線を使用するか前記アナログ電話回線を使用するかを判定し、判定結果に従って使用する電話回線を選択するように制御することを特徴とする請求項１または６記載の電話装置。
【請求項８】
前記デジタル電話回線は、前記アナログ電話回線で交換局の交換機に接続される加入者線に、高周波信号を重畳させて形成されることを特徴とする請求項１、６または７のいずれかに記載の電話装置。
【発明の詳細な説明】
【０００１】
【発明の属する技術分野】
本発明は、公衆電話網などに接続されるアナログ電話回線と、デジタルデータ通信ネットワークを利用するデジタル電話回線とに接続可能な電話装置に関する。
【０００２】
【従来の技術】
従来から、電話機は、Ｐｕｂｌｉｃ  Ｓｗｉｔｃｈｅｄ  Ｔｅｌｅｐｈｏｎｅ  Ｎｅｔｗｏｒｋ  からＰＳＴＮと略称される公衆電話網に接続されて利用されている。ＰＳＴＮに接続される電話機では、受話器と送話器とを備えるハンドセットをフックスイッチ上に載置して、フックスイッチをＯＮ状態にして待機している。ユーザが発呼して通話を行う場合は、まずハンドセットを取り上げると、フックスイッチはＯＦＦ状態となる。電話機は加入者線を介してＰＳＴＮの交換局に設置されている交換機に接続されており、交換機はフックスイッチのＯＮ／ＯＦＦを監視している。フックスイッチがＯＦＦとなると、電話回線は捕捉され、交換機から通話音が送られてくる。通話音は、４００Ｈｚの連続音であり、「ダイヤルトーン」とも呼ばれる。電話機で発呼しようとするユーザは、ハンドセットの受話器から聞こえる通話音で発呼可能なことを認識する。
【０００３】
近年、インターネットなどのデジタル通信網が発達し、ＶｏＩＰ（Ｖｏｉｃｅ  ｏｖｅｒＩｎｔｅｒｎｅｔ  Ｐｒｏｔｏｃｏｌ）を用いて、電話通話を行うことも可能になっている。インターネット内でのデータ通信自体は無料であるので、電話通話を安価に行うことが可能となる。インターネットを介する電話通話では、インターネットに接続するためのサーバで、通信相手をＩＰアドレスによって特定するようにしている。インターネット内でのデータ通信は、電話通話に要する通信速度に比較して充分に高速で行うことができる。サーバと電話通話のための端末との通信速度も、ブロードバンド化された通信線を使用すれば、充分に高速で行うことができる。この通信は、多重化することも比較的容易であり、物理的には単一の加入者線に、複数のデジタル電話回線を収容することもできる。さらに、ＡＤＳＬ（Ａｓｙｍｍｅｔｒｉｃ  Ｄｉｇｉｔａｌ  Ｓｕｂｓｃｒｉｂｅｒ  Ｌｉｎｅ  ）などのｘＤＳＬ技術で、ＰＳＴＮの加入者線に高周波のデジタル信号を重畳し、アナログ電話回線と、複数のデジタル電話回線とを収容することも可能になっている。
【０００４】
ただし、インターネットなどを利用するデジタル電話回線では、通信音を電話回線側から送出する機能が設けられていない。従来からのデジタル電話回線であるＩＳＤＮ（Ｉｎｔｅｇｒａｔｅｄ  Ｓｅｒｖｉｃｅｓ  Ｄｉｇｉｔａｌ  Ｎｅｔｗｏｒｋ    ）でも、発呼開始時にダイヤルトーンを送出する機能は設けられていない。ＩＳＤＮおよびＰＳＴＮに接続可能な電話装置で、確実に電話として使用可能な場合に限って、ＩＳＤＮでもハンドセットからダイヤルトーンを送出する考え方も示されている（たとえば特許文献１参照）。また、ＩＳＤＮを伝送路として用いる際に、オフフック後ダイヤル入力操作がされるまで、ダイヤルトーンを発生する考え方も示されている（たとえば特許文献２）。
【０００５】
【特許文献１】
特開平５−２２５０８号公報
【特許文献２】
特開２０００−３０７７６４号公報
【０００６】
【発明が解決しようとする課題】
ＰＳＴＮの加入者線に高周波信号を重畳させるｘＤＳＬ伝送システムでは、加入者線本来の信号を利用するアナログ電話回線と、デジタル電話回線とは周波数によって分けることができ、この周波数分離のためにスプリッタが用いられる。また、デジタル電話回線では電話通信用のデータがパケット符号化されているので、ｘＤＳＬモデムで変復調することも必要となる。ｘＤＳＬ伝送システムを利用する電話装置では、スプリッタやｘＤＳＬモデムを内蔵すると、外観的にはＰＳＴＮの加入者線のみ接続しているだけのように見え、従来のＰＳＴＮ電話端子に接続するだけで、インターネットを介する電話通話を容易に行うことができる。ユーザは、従来のＰＳＴＮ電話機と同様の使い勝手を期待するものと推定される。さらに、アナログ電話回線を使用するか、デジタル電話回線を使用するかを、オフフックに続いて入力される発信先電話番号に従って自動的に決定するような機能を設ければ、使い勝手の向上をさらに図ることができると期待される。
【０００７】
しかしながら、そのように発信先電話番号の入力後に使用する電話回線を決定する場合は、ダイヤルトーンをどのように報知するかが問題となる。従来のＰＳＴＮの回線に接続される電話機を使用してきたユーザは、ハンドセットを取り上げてダイヤルトーンが聞こえればダイヤル入力が促されることに慣れている。オフフック後に直ちにＰＳＴＮの回線を捕捉すれば、ＰＳＴＮの回線から送られるダイヤルトーンを利用することができる。しかし、発信先電話番号を入力した結果、デジタル電話回線を選択するように決定する場合に、捕捉したＰＳＴＮの回線を開放しなければならない。また、すでにＰＳＴＮの回線を使用して通話を行っている場合は、回線を捕捉してダイヤルトーンを受信することはできない。ＰＳＴＮの回線は通話中であっても、デジタル電話回線を介する電話通話は可能な場合があるけれども、ＰＳＴＮの回線からのダイヤルトーンを利用する限り、デジタル電話回線のみへのダイヤル入力を促すダイヤルトーンを報知することはできない。
【０００８】
ダイヤルトーンを電話装置の内部で発生させることも可能であるけれども、オフフック後に直ちにダイヤルトーンが報知されるようにすると、ユーザにはいずれの電話回線を使用して発呼を行うかの区別がつかなくなってしまう。特許文献１の先行技術では、ＩＳＤＮとＰＳＴＮとのいずれにも接続可能な電話装置で、確実に電話として使用可能な場合に限って、ハンドセットからダイヤルトーンを送出するものであり、電話機が使用可能であることをユーザに判らせるようにしている。この考え方で、デジタル電話回線とアナログ電話回線とに接続可能な電話装置でも、同様にダイヤルトーンを送出し、電話通信に使用可能であることをユーザに判らせるようにすることができるけれども、デジタル電話回線が使用可能な状態であるか否かは判らない。
【０００９】
インターネットを介するデジタル電話回線を使用する方が、アナログ電話回線を使用するよりも、一般に料金が低廉になる。したがって、デジタル電話回線を選択する可能性が高いけれども、種々の条件でアナログ電話回線が選択される場合がある。そのような場合、ユーザはデジタル電話回線で通話を行っているつもりで、アナログ電話回線を使用し、高い料金を支払わなければならなくなってしまうおそれがある。特許文献２がＩＳＤＮのみに接続する端末装置であるように、デジタル電話回線のみに接続する電話装置であれば、ＰＳＴＮのダイヤルトーンを電話装置内部で発生してオフフック後に報知しても、ＰＳＴＮの回線を使用するとの誤認の問題は生じない。しかし、そのような電話装置では、アナログ電話回線を使用することはできない。
【００１０】
本発明の目的は、ユーザが発呼する際に、デジタル電話回線が使用される可能性があるか否かを通話音で区別可能な電話装置を提供することである。
【００１１】
【課題を解決するための手段】
本発明は、アナログ電話回線およびデジタル電話回線とに接続され、いずれかを選択して発呼可能な電話装置において、
オフフック時に、デジタル電話回線が使用可能か否かを判定する判定手段と、
判定手段がデジタル電話回線を使用可能でないと判定するときに、アナログ電話回線を捕捉し、アナログ電話回線から送られてくる回線信号を受話器から出力するように制御する制御手段と、
アナログ電話回線から送られてくる該回線信号とは異なる可聴音信号を生成する生成手段とを含み、
制御手段は、判定手段がデジタル電話回線を使用可能であると判定するときに、生成手段によって生成される可聴音を受話器から出力するように制御することを特徴とする電話装置である。
【００１２】
本発明に従えば、電話装置は、アナログ電話回線およびデジタル電話回線とに接続され、いずれかを選択して発呼可能であり、判定手段と、制御手段と、生成手段とを含む。判定手段はオフフック時に、デジタル電話回線が使用可能か否かを判定する。この判定は、デジタル電話回線網を形成するデータ通信網のサーバへの物理的および論理的な接続がなされているか否かに基づいて行うことができる。制御手段は判定手段がデジタル電話回線を使用可能でないと判定するときに、アナログ電話回線を捕捉し、アナログ電話回線から送られてくる回線信号を受話器から出力するように制御するので、デジタル電話回線を選択することができないときに、アナログ電話回線を選択し、オフフックに続いて回線信号としてのダイヤルトーンを受話器からユーザに聞かせることができる。生成手段はアナログ電話回線から送られてくる該回線信号とは異なる可聴音信号を生成し、判定手段は、判定手段がデジタル電話回線を使用可能であると判定するときに、生成手段によって生成される可聴音を受話器から出力するように制御するので、デジタル電話回線を使用可能であることを、アナログ電話回線から送られてくる回線信号であるダイヤルトーンとは異なる可聴音でユーザに知らせることができる。ユーザは、オフフック後に受話器から出力される通話音に従って、デジタル電話回線が使用される可能性があるか否かを容易に識別することができる。
【００１３】
ユーザが受話器を取って発信しようとしたら、直ぐにデジタル電話回線を使用する可能性の有無を音で知ることができ、デジタル電話回線を使用することができないでアナログ電話回線を使用しようとしているときで、ユーザがデジタル電話回線のみでしか発信したくない場合には、受話器をフックスイッチ上に置き、デジタル電話回線で発信可能になるまで待つことも可能となり、使用性が向上する。
【００１４】
また本発明で、前記生成手段は、複数種類の可聴音を生成可能であり、
生成手段から発生する可聴音の種類を選択する選択手段をさらに含むことを特徴とする。
【００１５】
本発明に従えば、デジタル電話回線を選択可能なことを報知する可聴音として、複数種類から選択して使用することができるので、ユーザの使い勝手を向上させることができる。
【００１６】
また本発明で、前記可聴音は、前記複数種類の可聴音のうちの少なくとも一部の可聴音を生成するためのデータを記憶可能なメモリを備えることを特徴とする。
【００１７】
本発明に従えば、ユーザはメモリに記憶されている複数種類の可聴音から使用する可聴音を選ぶことができるため、使用性が向上する。
【００１８】
また本発明は、前記メモリに記憶するデータを、音響信号から収録するための録音手段をさらに含むことを特徴とする。
【００１９】
本発明に従えば、ユーザは自分の好きな可聴音を音響信号として録音手段で収録してメモリに記憶しておき、その記録した可聴音を選ぶことができるため、使用性が向上する。
【００２０】
また本発明は、前記メモリに記憶するデータを、前記アナログ電話回線または前記デジタル電話回線を介して取得する取得手段をさらに含むことを特徴とする。
【００２１】
本発明に従えば、メモリに記憶してデジタル電話回線が使用可能なときに可聴音を生成するためのデータは、アナログ電話回線またはデジタル電話回線を利用して取得することができるので、インターネットなどで配信されているデータを容易に利用することができる。
【００２２】
また本発明は、子機を接続可能な接続手段と、
接続手段を介して接続される子機とを含み、
前記判定手段は、子機からの発呼操作開始時に、前記デジタル電話回線が使用可能か否かを判定し、
前記制御手段は、子機からの発呼操作開始時に、
判定手段がデジタル電話回線を使用可能でないと判定するときに、アナログ電話回線を捕捉し、アナログ電話回線から送られてくる回線信号を子機から出力判定手段がデジタル電話回線を使用可能であると判定するときに、前記生成手段によって生成される可聴音を子機から出力するように制御することを特徴とする。
【００２３】
本発明に従えば、接続手段と子機とを含み、子機から発呼操作を行う場合も、デジタル電話回線を選択可能であるか否かを、子機から出力される可聴音で区別することができる。
【００２４】
また本発明で、前記制御手段は、前記判定手段によって前記デジタル電話回線が使用可能であると判定されるとき、発呼操作で入力される発信先電話番号に基づいて、デジタル電話回線を使用するか前記アナログ電話回線を使用するかを判定し、判定結果に従って使用する電話回線を選択するように制御することを特徴とする。
【００２５】
本発明に従えば、アナログ電話回線を使用するか、デジタル電話回線を使用するかを、オフフックに続いて入力される発信先電話番号に従って自動的に決定するので、使い勝手の向上をさらに図ることができる。ユーザは電話回線の種類を選択する必要はないけれども、デジタル電話回線が選択される可能性があるときと、ないときとを発信先電話番号の入力の前に知ることができ、デジタル電話回線を選択する可能性がないときには、待つこともできる。
【００２６】
また本発明で、前記デジタル電話回線は、前記アナログ電話回線で交換局の交換機に接続される加入者線に、高周波信号を重畳させて形成されることを特徴とする。
【００２７】
本発明に従えば、ｘＤＳＬ伝送システムなど、デジタル電話回線は、アナログ電話回線で交換局の交換機に接続される加入者線に、高周波信号を重畳させて形成されるので、見かけ上１つの加入者線を利用し、デジタル電話回線も形成して、発呼の際には、デジタル電話回線が使用可能か否かを通話音で区別することができる。
【００２８】
【発明の実施の形態】
以下に、本発明に係る電話装置の実施の複数の形態について、図面を参照して説明する。実施の各形態で、先行して説明してある部分と対応する部分には同一の参照符を付し、重複する説明を省略することがある。
【００２９】
図１は、本発明の実施の一形態である電話装置としてのｘＤＳＬ対応ＩＰ電話機１を使用する通信システムの概略的な電気的構成を示す。ｘＤＳＬ対応ＩＰ電話機１は、ＰＳＴＮ網網とインターネット網との両方に接続して、電話装置として機能させることができる。ｘＤＳＬ対応ＩＰ電話機１には、電話部２、ハンドセット３およびｘＤＳＬモデム４が含まれる。電話部２には、可聴音発生部５が含まれ、インターネット網に接続するときに、ＰＳＴＮのダイヤルトーンと同様にダイヤル入力を促す可聴音を発信確認音として発生する。可聴音は、４００Ｈｚの単音が連続するダイヤルトーンと容易に区別することができる音、たとえば８００Ｈｚの単音が連続する音とする。発生した発信確認音は、可聴音であるので、ハンドセット３の受話器６などから鳴らしてユーザに報知することができる。
【００３０】
ｘＤＳＬ対応ＩＰ電話機１は、ＡＤＳＬなど、従来のアナログ電話回線の加入者線に高周波のデジタル信号を重畳して、ブロードバンド化を図るｘＤＳＬ技術を利用して、インターネットへの接続を行う。高周波のデジタル信号とＰＳＴＮのアナログ電話信号との分離や合成は、スプリッタ７で行われる。本実施形態のｘＤＳＬ対応ＩＰ電話機１では、スプリッタ７も内蔵し、ｘＤＳＬ技術でブロードバンド化しているＰＳＴＮの加入者線８のみを接続する。加入者線８は、見かけ上、従来のアナログ電話回線を接続している状態と同様であるけれども、ｘＤＳＬ対応ＩＰ電話機１の内部では、アナログ電話回線であるＰＳＴＮ回線８ａとデジタル電話回線であるｘＤＳＬ回線８ｂとに分離されている。
【００３１】
加入者線８は、ＰＳＴＮ網１０に含まれ、管轄区域を担当する交換局１１内の交換機１２に、スプリッタ１３を介して接続される。スプリッタ１３もＰＳＴＮのアナログ電話信号と、ＶｏＩＰ電話用の高周波デジタル信号とを分離し、合成する。分離されたＰＳＴＮのアナログ電話信号は、交換機１２に入力される。また交換機１２からのアナログ電話信号は、スプリッタ１３で合成され、加入者線８に送出される。交換機１２は、加入者線８の状態を監視し、加入者線８に接続されている電話端末としてのｘＤＳＬ対応ＩＰ電話機１でハンドセット３を取り上げるオフフックがあると、加入者線８が短絡されることによって、検知し、回線信号発生部１４からダイヤル入力を促す通話音としてのダイヤルトーンを発生して、加入者線８に送出する。
【００３２】
スプリッタ１３で分離される高周波信号は、パケット化されたデジタル信号であり、インターネット網１５上に開設されるＶｏＩＰサーバ１６に転送される。データをインターネット網１５に転送させるために、スプリッタ１３からの高周波信号はＢＡＳ（Ｂｒｏａｄｂａｎｄ  Ａｃｃｅｓｓ  Ｓｅｒｖｅｒ  ）１７に入力される。
【００３３】
本実施形態のｘＤＳＬ対応ＩＰ電話機１は、物理的には単一の加入者線８を介して、従来と同様なＰＳＴＮのアナログ電話回線での通話と、ｘＤＳＬ技術で多重化された複数のデジタル電話回線での通話とを同時に行うこともできる。ただし、複数の通話を同時に行うためには、子機を必要とする。
【００３４】
子機も含めて、全く通話を行っていない状態から発呼を開始する場合を想定すると、アナログ電話回線とデジタル電話回線との両方が使用可能である。
【００３５】
図２は、ユーザが図１のｘＤＳＬ対応ＩＰ電話機１のハンドセット３を取り上げるときの発信者確認音出力の概略的な手順を示す。ステップａ０から動作を開始し、ステップａ１では、ユーザがハンドセット３を取り上げてオフフックになるのを待つ。オフフックが検出されると、電話部２ではｘＤＳＬモデム４に対してＶｏＩＰ電話が使用可能かの確認を行うことを要求する。ｘＤＳＬモデム４は、まずステップａ２で、ｘＤＳＬ回線の物理的な接続状態を、キャリア信号の有無で“ｘＤＳＬ回線のコネクションは切れていないか？”確認する。切れていないことが確認されると、ステップａ３で、ＢＡＳ１７までの論理的な接続状態であるＰＰＰ（Ｐｏｉｎｔ−ｔｏ−Ｐｏｉｎｔ  Ｐｒｏｔｏｃｏｌ  ）セッションを、“ＰＰＰセッションは切れていないか？”で確認する。切れていないことが確認されると、ステップａ４で、インターネット網１５でＶｏＩＰ電話通信を行うためのサービスを受ける“ＶＯＩＰサーバの認証がとれているか？“の確認を行う。ステップａ４までの確認で、全てがＹＥＳのときは、電話部２はＶｏＩＰ使用可能であると確認し、それ以外のときはＶｏＩＰ使用不可であると確認する。電話部２は、ＶＯＩＰ使用可能のとき、ステップａ５に進み、破線で示すように可聴音発生部５から発生させる可聴音を、ハンドセット３に送出する。ＶｏＩＰ使用不可のとき、ステップａ６に進み、交換機１２に接続されるＰＳＴＮ回線を捕捉し、ステップａ７では、点線で示すように、回線信号発生部１４から発生されるＰＳＴＮ回線のダイヤルトーンパルスをハンドセット３に送出する。
【００３６】
図３は、図１のｘＤＳＬ対応ＩＰ電話機１の電話部２についての電気的構成を示す。電話部２は、ハンドセット３、回線捕捉回路２１、スピーチネットワーク２２、切換回路２３、スピーカ２５、ダイヤル回路２６、着信検出回路２７、発信者電話番号受信回路２８、メモリ２９、表示部３０、ＶｏＩＰ使用可能ＬＥＤ３１、ＰＳＴＮ  ＬＥＤ３２、ＶｏＩＰ  ＬＥＤ３３、操作パネル３４、ＤＳＰ３５、音声メモリ３６、留守録ＤＳＰ３７、無線機３８、アンテナ３９、および制御部４０を含む。制御部４０は、電話制御部４１、データ処理制御部４２、表示制御部４３、操作検出部４４、使用回線判定部４５、ＶｏＩＰ制御部４６、ＤＳＰ制御部４７、ＡＤＳＬ制御部４８および無線制御部４９を含む。
【００３７】
回線捕捉回路２１は、ダイヤル回路２６からの信号によって、ＰＳＴＮ回線８ａを閉結したり開放したりし、またその状態を信号で電話制御部４１に与えることができる。スピーチネットワーク２２は、ＰＳＴＮ回線８ａからの受話信号を切換回路２３に送るとともに、切換回路２３からの送話信号をＰＳＴＮ回線８ａに送出したり、ダイヤル回路２６が発信したＤＴＭＦ（Ｄｕａｌ  Ｔｏｎｅ  ＭｕｌｔｉＦｒｅｑｕｅｎｃｙ）信号を、ＰＳＴＮ回線８ａに送出するために回線捕捉回路２１に送る。切換回路２３は、電話制御部４１からの制御信号に応じて、スピーチネットワーク２２およびハンドセット３から音声信号を入力し、またスピーチネットワーク２２、ハンドセット３およびスピーカ２５へ音声信号を出力するように信号経路の接続を切換える。ダイヤル回路２６は、回線捕捉回路２１を開閉させてダイヤルパルスを発生させたり、ＤＴＭＦ信号をスピーチネットワーク２２に出力したりして、ＰＳＴＮ回線８ａに送出する。
【００３８】
着信検出回路２７は、ＰＳＴＮ回線８ａから到来するＣＡＲ信号やＩＲ信号を検出し、電話制御部４１に信号を与える。ここでＣＡＲ信号とは、発信者電話番号通知サービスで発信者の電話番号を通知してくる前に送られてくる信号であり、電話機はこれを受信すると回線を捕捉し発信者の電話番号を受信する。また、ＩＲ信号とは着信鳴動信号であり、通常、電話機はこれを受信するとスピーカ２５から呼出音を鳴らす。
【００３９】
発信者電話番号受信回路２８は、ＰＳＴＮ回線８ａから送られてくる発信電話番号等の情報を受信復調し、発信者識別情報となる発信者電話番号を取得する。メモリ２９は、発信記録や着信記録のデータ、留守応答時に受信した発信者電話番号とその使用された回線が何かを示す情報などを記憶する。
【００４０】
ｘＤＳＬ対応ＩＰ電話機１は、表示手段として、ＬＣＤ（液晶表示装置）による表示部３０と、ＬＥＤ（発光ダイオード）によるＶｏＩＰ使用可能ＬＥＤ３１、ＰＳＴＮ  ＬＥＤ３２およびＶｏＩＰ  ＬＥＤ３３を含む。表示部３０は文字列やピクトグラムで情報を表示する。ＶｏＩＰ使用可能ＬＥＤ３１は、ＶｏＩＰ電話通信が可能な時に点灯する。ＰＳＴＮ  ＬＥＤ３２は、ＰＳＴＮ回線を使用して電話の発着信が行われたときに点灯する。ＶｏＩＰ  ＬＥＤ３３は、ｘＤＳＬ回線を使用してＶｏＩＰ電話の発着信が行われた時に点灯する。これらの表示手段は、ｘＤＳＬ対応ＩＰ電話機１を操作するための操作パネル３４に設けられている。
【００４１】
ＤＳＰ（Ｄｉｇｉｔａｌ  Ｓｉｇｎａｌ  Ｐｒｏｃｅｓｓｏｒ）３５は、ｘＤＳＬ回線８ｂから送られてきたデジタル音声をアナログ音声に変換したり、ハンドセット３の送話器で拾ったアナログ音声をデジタル音声に変換したりする信号処理を行う。ｘＤＳＬモデム４は、ｘＤＳＬ回線８ｂを使って送受信を行うためにデジタル信号を変復調する。スプリッタ７は、ＰＳＴＮ回線８ａの信号とｘＤＳＬ回線８ｂの信号を一つにまとめて加入者線８に流したり、交換局１１から加入者線８を介して送られてくる信号をＰＳＴＮ回線８ａの信号とｘＤＳＬ回線８ｂの信号とに分離したりすることができる。
【００４２】
さらに、ｘＤＳＬ対応ＩＰ電話機１には、留守録機能を実現するために、留守用件を記録する音声メモリ３６と、留守用件をデジタルで記録したり再生したりする留守用件用ＤＳＰ３７とが設けられている。
【００４３】
無線機３８は、アンテナ３９を介して１または複数の子機と無線電波で接続する。赤外線や有線で接続するようにしてもよい。子機も、親機となるｘＤＳＬ対応ＩＰ電話機１を介してＰＳＴＮ回線８ａとｘＤＳＬ回線８ｂとを利用して通信を行うことができる。また親機と子機とは、ＰＳＴＮ回線８ａとｘＤＳＬ回線８ｂとのうちの一方と他方とを使用して、同時に通信することもできる。さらに、ｘＤＳＬ回線８ｂでは、複数の電話通信用の回線を設定することも可能であり、親機と子機、または複数の子機が同時に電話通信を行うことができる。
【００４４】
ｘＤＳＬ対応ＩＰ電話機１の動作は、制御部４０によって制御する。電話制御部４１は、電話をかけたり、受けたり、ダイヤルしたり、留守応答動作をしたりする動作を制御する。また、図２に示すような制御も行う。データ処理制御部４２は、メモリ２９に発信者電話番号等のデータを書き込んだり、閲覧手段として読み込んだりする制御を行う。表示制御部４３は、表示部３０に各種の情報を表示する制御を行う。操作検出部３４は、操作パネル３４を監視し、操作が行われると電話制御部４１に操作に対応する信号を与える。使用回線判定部４５は、電話制御部４１から送られてきた電話番号についてどちらの回線を使用するかを判定し、結果を電話制御部４１に返すように機能する。ＶｏＩＰ制御部４６は、ＶｏＩＰ電話を行うための呼制御や、ＰＰＰセッションの確立、ＶｏＩＰサーバとの認証を行う。ＤＳＰ制御部４７は、ＤＳＰ４５を制御する。ｘＤＳＬ制御部４８は、ｘＤＳＬモデム４を制御する。無線制御部４９は、無線機３８を制御する。
【００４５】
図４は、図１のｘＤＳＬ対応ＩＰ電話機１をＰＳＴＮ網１０とインターネット網１５とに接続する形態を示す。ｘＤＳＬ対応ＩＰ電話機１は、交換局１１の交換機１２との間を加入者線８によって接続する。加入者線８は、ｘＤＳＬ回線としてインターネット網１５に接続され、ＰＳＴＮ回線として交換機１２を介してＰＳＴＮ網１０にも接続される。交換機１２からインターネット網１５までの間には、ｘＤＳＬ事業者が開設するｘＤＳＬ装置１８、およびインターネット網１５に接続するための事業者であるＩＳＰ（Ｉｎｔｅｒｎｅｔ  Ｓｅｒｖｉｃｅ  Ｐｒｏｖｉｄｅｒ  ）が開設するＢＡＳ１７が設けられる。また、インターネット網１５内でＶｏＩＰ電話通信を行うためには、ＶｏＩＰサーバ１６を設置する事業者と契約しておき、認証を得なければならない。前述のｘＤＳＬコネクションはｘＤＳＬ装置１８までの物理的接続であり、ＰＰＰセッションはＢＡＳ１７までの論理的接続である。
【００４６】
本実施形態のｘＤＳＬ対応ＩＰ電話機１は、親機として、１または複数の子機５０ａ，５０ｂを無線で接続することができる。各子機５０ａ，５０ｂには、ｘＤＳＬ対応ＩＰ電話機１によって識別情報が付与され、親機としてのｘＤＳＬ対応ＩＰ電話機１と子機５０ａ，５０ｂとは、従来からの親子電話機と同様に使用することができる。本実施形態の子機５０ａ，５０ｂでは、さらに、親機であるｘＤＳＬ対応ＩＰ電話機１を介して、ＰＳＴＮ回線８ａを利用する一般電話機としてばかりではなく、ｘＤＳＬ回線８ｂを利用するＩＰ電話機としても使用することができる。
【００４７】
また、図２に示すようなダイヤルトーンまたは可聴音に関する制御は、子機５０ａ，５０ｂからの発呼の際も同様に行うことができる。ただし、子機５０ａ，５０ｂはオフフックの操作に代えて、ボタンを押下げる操作で発呼が開始される。電話部２は、ＶｏＩＰ電話通信が可能であれば可聴音を無線部３８を介して子機５０ａ，５０ｂに送り、ＶｏＩＰ電話通信が可能でなければ、ＰＳＴＮ回線８ａからのダイヤルトーンを子機５０ａ，５０ｂに送る。
【００４８】
図５は、本発明の実施の他の形態であるｘＤＳＬ対応ＩＰ電話機５１の概略的な電気的構成を示す。電話部５２は、図３に示すような電話部２と大略的に同等の構成を有する。本実施形態では、可聴音発生部５５として、書換可能なＲＯＭ５６と、音声コーデック５７と、制御部６０とを含む。制御部６０は、図３の制御部４０と基本的に同等の構成を有する。
【００４９】
ＲＯＭ５６は、フラッシメモリなど、電気的に書換可能で、しかも電源供給が遮断されても記憶内容が消失しない不揮発性のメモリを使用する。ＲＯＭ５６には、可聴音のデータとして複数、たとえばデータ▲１▼として８００Ｈｚの連続音、データ▲２▼として”ＶｏＩＰ発信可能です“のような音声ガイダンスが記憶されている。ハンドセット３が持ち上げられて、ｘＤＳＬモデム４からＶｏＩＰ使用不可の情報がきたら、制御部６０は、予め選ばれているデータをＲＯＭ５６から音声コーデック５７に送信し、ハンドセット３からあらかじめ選ばれた可聴音を出力する。ＲＯＭ５６内のどのデータを使用するかはユーザが設定可能であり、たとえば図６に示すような表示を行い、図７に示すような手順で設定する。ユーザがデータ▲１▼を選択するように設定したならば、ＶｏＩＰが使用可能のとき、８００Ｈｚの音がハンドセット３から聞こえる。ＰＳＴＮ回線接続時は４００Ｈｚの音であるため、ＶｏＩＰ使用可能のときは高い音がハンドセットから聞こえ、ユーザはＶｏＩＰ電話として使用可能であることが判る。また、ユーザがデータ▲２▼を選択するように設定したならば、ＶｏＩＰが使用可能のとき、音声ガイダンスで”ＶｏＩＰ使用可能です“とハンドセット３から聞こえる。このため、ＶｏＩＰ使用可能のとき、ユーザはＶｏＩＰ使用可能であることが自分の設定した好きな可聴音で判る。
【００５０】
図６は、図５の表示部３０で、可聴音発生部５５で発生する可聴音である発信確認音の設定を、複数のデータから選択するときの表示の例を示す。２つのデータのうち、白抜きで示す変更値を、操作パネル３４への操作で変更することができる。
【００５１】
図７は、図５のｘＤＳＬ対応ＩＰ電話機５１で発信確認音を設定する概略的な手順を示す。ステップｂ０から手順を開始し、ステップｂ１では、操作パネル３４へのキー操作が行われるのを待つ。キー操作があると、ステップｂ２ででは、図６に示すような決定の操作か否かを判断する。決定ではないと判断するときは、ステップｂ３で発信確認音の設定を変更するか否かを判断する。設定変更と判断するときは、ステップｂ４で、発信確認音の設定を行う。変更値を白抜きで表示し、変更されたＲＯＭ内データ▲１▼または▲２▼を音声コーデック５７に転送する。この転送データは、ステップｂ２で決定と判断されると、ステップｂ５で発信確認音設定決定の動作がなされ、手順は終了する。
【００５２】
図８は、本発明の実施のさらに他の形態であるｘＤＳＬ対応ＩＰ電話機７１の概略的な電気的構成を示す。電話部７２は、図３に示すような電話部２と大略的に同等の構成を有する。本実施形態では、可聴音発生部７５として、書換可能なＲＯＭ５６と、音声コーデック７７と、制御部８０とを含む。制御部８０は、図３の制御部４０と基本的に同等の構成を有する。
【００５３】
書換可能なＲＯＭ５６には可聴音のデータとして複数、たとえばデータ▲１▼、データ▲２▼が記憶されており、データ▲２▼についてはユーザが登録可能なデータである。ハンドセット３が持ち上げられて、ｘＤＳＬモデム４からＶｏＩＰ使用不可の情報がきたら、制御部８０は予め選ばれたデータを書換可能なＲＯＭ５６から音声コーデック７７に送信し、ハンドセット３から予め選ばれた可聴音を出力する。書換可能なＲＯＭ５６内のどのデータを使用するかは、ユーザが設定可能であり、また、データ▲２▼についてはユーザが好きな音を登録可能である。
【００５４】
図９は、ユーザが好きな音を登録する際に行う表示部３０での表示の例を示す。図１０は、図９に示すような表示を行いながら、発信確認音を登録する概略的な手順を示す。ユーザが新たに可聴音を登録する場合、ステップｃ０から手順を開始する。まず、ステップｃ１では、発信確認音登録のためにＹｅｓを白抜きで表示する。次にステップｃ２では、ユーザによるキー操作が行われるのを待つ。ステップｃ２でキー操作がありと判断されると、ステップｃ３で決定か否かを判断する。決定ではない判断するときは、ステップｃ４で変更か否かを判断する。変更でないと判断するときは、ステップｃ２に戻る。ステップｃ４で変更と判断するときは、ステップｃで、発信者確認音登録表示を行う。”Ｙｅｓ”を白抜きにして表示しているときは”Ｎｏ”が白抜きで表示されるように変更する。”Ｎｏ”を白抜きにして表示しているときは”Ｙｅｓ”が白抜きで表示されるように変更する。ステップｃ５が終了すると、ステップｃ２に戻る。
【００５５】
ステップｃ３で決定と判断するときは、発信者確認音の登録を行う。”Ｙｅｓ”なら、内蔵マイク７８の音を音声コーデック７７に入力する。さらに音声コーデック７７からのデータは書換可能なＲＯＭにも記憶しておくことができる。”Ｎｏ”ならば終了する。すなわち、ユーザは操作部パネル３４を操作し、“Ｙｅｓ”を白抜きにして決定する。決定の操作を受けて、制御部８０は、表示部３０に“発信確認音登録中”を表示し、音声コーデック７７の入力を内蔵マイク７８側に切換え、音声コーデックから７７のデータを書換可能なＲＯＭ５６に記録するよう制御する。
【００５６】
ユーザは表示部３０に“発信確認音登録中”が表示されている期間、内蔵マイク７８に好きな可聴音を入力することができる。たとえば、“ＶｏＩＰ、ＶｏＩＰ、ＶｏＩＰ”と登録し、ユーザが出力する可聴音のデータをデータ▲２▼として設定したならば、ＶｏＩＰが使用可能の時、音声ガイダンスで”ＶｏＩＰ、ＶｏＩＰ、ＶｏＩＰ“とハンドセット３の受話器６から聞こえる。このため、ＶｏＩＰ使用可能のとき、ユーザはＶｏＩＰ使用可能であることを、自分が自由に登録した可聴音を聞いて認識することができる。
【００５７】
なお、データ▲２▼に登録するデータとして、本例では内蔵マイク７８の音を登録する方法を示しているけれども、ｘＤＳＬモデム４を経由して携帯電話の着信メロディなどのデータをインターネット網１５から取り出して登録する方法、外部入力端子を設け、外部入力端子からの音を登録する方法も考えられる。
【００５８】
【発明の効果】
以上のように本発明によれば、ユーザが受話器を取って発信しようとしたら、直ぐにデジタル電話回線を使用する可能性の有無を音で知ることができる。デジタル電話回線を使用可能なときは、アナログ電話回線とは異なる可聴音を報知して、デジタル電話回線を使用することを認識させながら発信先電話番号の入力を促すことができる。ユーザがデジタル電話回線のみでしか発信したくない場合に、アナログ電話回線しか使用することができないことが判れば、受話器をフックスイッチ上に置いてデジタル電話回線で発信可能になるまで待つことも可能となり、使用性が向上する。デジタル電話回線を使用することができなくても、アナログ電話回線を使用してもよいときは、アナログ電話回線の通話音に続いて、発信先電話番号を入力し、発呼を行うことができる。
【００５９】
また本発明によれば、デジタル電話回線を選択可能なことを報知する可聴音として、複数種類から選択して使用することができるので、ユーザの使い勝手を向上させることができる。
【００６０】
また本発明によれば、ユーザはメモリに記憶されている複数種類の可聴音から使用する可聴音を選ぶことができるため、デジタル電話回線を使用可能なことを判りやすくして使用性を向上させることができる。
【００６１】
また本発明によれば、ユーザは自分の好きな可聴音を録音手段で収録してメモリに記憶しておき、デジタル電話回線が使用可能なときにその記録した可聴音を報知するので、使用性が向上する。
【００６２】
また本発明によれば、デジタル電話回線が使用可能なときに報知する可聴音を生成するためのデータとして、インターネットなどで配信されているデータを容易に利用することができる。
【００６３】
また本発明によれば、子機から発呼操作を行う場合も、デジタル電話回線を選択可能であるか否かを、可聴音で区別することができる。
【００６４】
また本発明によれば、アナログ電話回線を使用するかデジタル電話回線を使用するかを、発信先電話番号に従って自動的に決定するので、電話回線の種類の選択は発信先電話番号の入力後になるけれども、その入力前に、デジタル電話回線が使用可能か否かを可聴音でユーザに通知することができる。ユーザがデジタル電話回線を使用するつもりであれば、デジタル電話回線を選択する可能性がないときには、待つこともできる。
【００６５】
また本発明によれば、デジタル電話回線は、アナログ電話回線の交換局の交換機に接続される加入者線に高周波信号を重畳させて形成されるので、見かけ上１つの加入者線を接続するだけで、デジタル電話回線にも同時に接続し、発呼の際には、デジタル電話回線が使用可能か否かを通話音で区別することができる。
【図面の簡単な説明】
【図１】本発明の実施の一形態であるｘＤＳＬ対応ＩＰ電話機１を使用する通信システムの概略的な電気的構成を示すブロック図である。
【図２】図１のｘＤＳＬ対応ＩＰ電話機１で発信者確認音を出力する手順を示すフローチャートである。
【図３】図１の電話部１２についての電気的構成を示すフローチャートである。
【図４】図１のｘＤＳＬ対応ＩＰ電話機１をＰＳＴＮ網１０とインターネット網１５とに接続する形態を示すブロック図である。
【図５】本発明の実施の他の形態であるｘＤＳＬ対応ＩＰ電話機５１の概略的な電気的構成を示すブロック図である
【図６】図５の実施形態で、発信確認音設定中の表示部３０での表示例を示す図である。
【図７】図５の実施形態で、発信確認音を設定する概略的な手順を示すフローチャートである。
【図８】本発明の実施のさらに他の形態であるｘＤＳＬ対応ＩＰ電話機７１の概略的な電気的構成を示すブロック図である
【図９】図８の実施形態で、発信確認音登録中の表示部３０での表示例を示す図である。
【図１０】図８の実施形態で、発信確認音を録音する概略的な手順を示すフローチャートである。
【符号の説明】
１，５１，７１  ｘＤＳＬ対応ＩＰ電話機
２，５２，７２  電話部
３  ハンドセット
４  ｘＤＳＬモデム
５，５５，７５  可聴音発生部
６  受話器
７，１３  スプリッタ
８  加入者線
８ａ  ＰＳＴＮ回線
８ｂ  ｘＤＳＬ回線
１０  ＰＳＴＮ網
１２  交換機
１４  回線信号発生部
１５  インターネット網
１６  ＶｏＩＰサーバ
１７  ＢＡＳ
１８  ｘＤＳＬ装置
２１  回線捕捉回路
２３  切換回路
３０  表示部
３４  操作パネル
４０  制御部
４１  電話制御部
５０ａ，５０ｂ  子機
５６  ＲＯＭ
５７，７７  音声コーデック
７８  内蔵マイク
【図１】
2004187081.tif 000003
【図２】
2004187081.tif 000004
【図３】
2004187081.tif 000005
【図４】
2004187081.tif 000006
【図５】
2004187081.tif 000007
【図６】
2004187081.tif 000008
【図７】
2004187081.tif 000009
【図８】
2004187081.tif 000010
【図９】
2004187081.tif 000011
【図１０】
2004187081.tif 000012